(57)【要約】【課題】高所作業車等を用いて行うハツリ作業であっても、ハツリ作業による粉塵の飛散を防止し、作業環境を向上させると共に、清掃作業を軽減することができる防塵カバーを提供する。【解決手段】防塵カバー本体９に、削岩及び粉塵を吸引する集塵機を接続するための吸引口１１を設けると共に、防塵カバー本体９の先端に、接地面に対応して変形するフィッティング部１０を設けた。【選択図】図２
2008012686.tif 000002
【特許請求の範囲】
【請求項１】
削岩機の削岩部に設けられ、削岩及び粉塵の飛散を防止しつつ集塵を行う防塵カバーであって、防塵カバー本体に、削岩及び粉塵を吸引する集塵機を接続するための吸引口を設けると共に、前記防塵カバー本体の先端に、接地面に対応して変形するフィッティング部を設けたことを特徴とする防塵カバー。
【請求項２】
前記フィッティング部又は前記防塵カバー本体の少なくとも何れか一方が伸縮自在な蛇腹状に形成されていることを特徴とする請求項１に記載の防塵カバー。
【請求項３】
前記吸引口に、前記集塵機への削岩の侵入を規制するフィルターを設けたことを特徴とする請求項１又は請求項２に記載の防塵カバー。
【請求項４】
前記吸引口が前記防塵カバー本体を把持するための取手部として構成されていることを特徴とする請求項１〜請求項３の何れかに記載の防塵カバー。
【請求項５】
前記防塵カバー本体の先端と前記吸引口との間又は前記フィッティング部の少なくとも何れか一方に削岩を落下させるための落下部を設けたことを特徴とする請求項１〜請求項４の何れかに記載の防塵カバー。
【発明の詳細な説明】
【技術分野】
【０００１】
この発明は、トンネル等で行われる削岩作業に用いられる防塵カバーに関するものである。
【背景技術】
【０００２】
近年、線路のトンネル特別検査（剥離剥落対策を含む）においては、至近距離からの目視検査及び打音検査が行われている。このトンネル特別検査の結果に基づき、トンネル内壁面の剥落の虞がある箇所については点検ハンマー等を用いて叩落とす対策を行うことが一般的である。一方、トンネル内壁面の変状箇所によっては、点検ハンマーのみで叩落とすことが困難であるため、電動ハンマー等を用いたハツリ作業を行う場合がある。
このハツリ作業の際には、多量の粉塵や細かいコンクリート片が舞うため、防護メガネや防護マスクを付けて作業を行うが、作業終了後にも線路内の清掃、高所作業車の作業床内の清掃を行わなくてはならず、検査時に持ち込む機器類にも悪影響を及ぼす虞がある。そこで、電動ハンマー等によって発生する粉塵の飛散を防止し、作業環境を向上させると共に、清掃作業を軽減させるためのさまざまな技術が提案されている（例えば、特許文献１、特許文献２参照）。
【特許文献１】特開２００２−２２４６３１号公報
【特許文献２】実開平５−８５５７７号公報
【発明の開示】
【発明が解決しようとする課題】
【０００３】
ところで、特許文献１に開示された技術では、大型の削岩機（電動ハンマー）においては、粉塵の飛散を防止できる点で優れているが、例えば、トンネル内でのハツリ作業のように高所作業車等を用いて行うハツリ作業においては、粉塵の飛散を防止するための装置を携帯することが困難であるという課題がある。
また、特許文献２に開示された技術では、高所作業車等を用いたハツリ作業であっても携帯することが可能であるものの、電動ハンマーと一体化した集塵機のホースだけでは飛散する粉塵を吸引するには限界がある。このため、ハツリ作業による粉塵の飛散を防止し、作業環境の向上、清掃作業の軽減のための効果的な解決手段とはなり得ないという課題がある。
【０００４】
そこで、この発明は、高所作業車等を用いて行うハツリ作業であっても、ハツリ作業による粉塵の飛散を防止し、作業環境を向上させると共に、清掃作業を軽減することができる防塵カバーを提供するものである。
【課題を解決するための手段】
【０００５】
上記の課題を解決するために、請求項１に記載した発明は、削岩機の削岩部に設けられ、削岩及び粉塵の飛散を防止しつつ集塵を行う防塵カバーであって、防塵カバー本体に、削岩及び粉塵を吸引する集塵機を接続するための吸引口を設けると共に、前記防塵カバー本体の先端に、接地面に対応して変形するフィッティング部を設けたことを特徴とする。
この場合、請求項２に記載した発明のように、前記フィッティング部又は前記防塵カバー本体の少なくとも何れか一方が伸縮自在な蛇腹状に形成されていることを特徴とする。
【０００６】
請求項３に記載した発明は、前記吸引口に、集塵機への削岩の侵入を規制するフィルターを設けたことを特徴とする。
【０００７】
請求項４に記載した発明は、前記吸引口が防塵カバー本体を把持するための取手部として構成されていることを特徴とする。
【０００８】
請求項５に記載した発明は、前記防塵カバー本体の先端と前記吸引口との間又は前記フィッティング部の少なくとも何れか一方に削岩を落下させるための落下部を設けたことを特徴とする。
【発明の効果】
【０００９】
本発明によれば、削岩機の少なくとも削岩部を防塵カバー本体で覆うため、削岩機による削岩及び粉塵の飛散を防止することができる。
また、吸引口に集塵機を接続することで削岩機と集塵機を一体化することができ、防塵カバー本体内の削岩及び粉塵を吸引することができるため、高所作業車等を用いて行うハツリ作業であっても、作業環境を向上させると共に、清掃作業を軽減することができる。  
さらに、本発明によれば、防塵カバー本体の先端に設けたフィッティング部が接地面に密着するため、防塵カバーと接地面との隙間を最小限にすることができる。よって、確実に削岩及び粉塵の飛散を防止することができるだけでなく、防塵カバー本体内の削岩や粉塵を吸引することが容易になるため、小型の集塵機を使用することが可能になる。
【００１０】
また、本発明によれば、吸引口に集塵機への削岩の侵入を規制するフィルターを設けるため、吸引口及び集塵機のホースの目詰まりを防止することができると共に、集塵機の故障を回避することが可能になる。よって、ハツリ作業の作業効率を向上させることができる。
【００１１】
さらに、本発明によれば、吸引口を取手部として構成するため、作業者への負担を低減することが可能になる。また、取手部としての機能を別個に設ける必要がなく、部品点数を減少させることができるため、防塵カバーの軽量化を図ることができる。  
【００１２】
また、本発明によれば、防塵カバー本体の先端と吸引口との間、及びフィッティング部の少なくとも何れか一方に削岩を落下させるための落下部を設けることで空気中に舞う虞が低い削岩を防塵カバー本体から落下させ、空気中に舞う虞が高い粉塵のみ集塵機に吸引させることができる。このため、作業効率をさらに向上させることができる。
【発明を実施するための最良の形態】
【００１３】
次に、この発明の第一実施形態を図１〜図４に基づいて説明する。
図１は、本発明に係る防塵カバー１を適用した電動ハンマー２及び集塵機３の平面図である。
同図に示すように、トンネル等のハツリ作業に用いられる電動ハンマー２の先端には、ハツリ部４が着脱自在に設けられ、このハツリ部４の周囲を覆うように防塵カバー１が電動ハンマー２に対して着脱自在に取付けられている。防塵カバー１には集塵機３がホース５を介して取付けられている。集塵機３にはコンセント６が設けられ、このコンセント６が電源７に電気的に接続されることによって、集塵機３が駆動するようになっている。また、電動ハンマー２にもコンセント８が設けられている。電気ハンマー２は、このコンセント８が他の電源（不図示）に電気的に接続されることで駆動するようになっている。尚、集塵機３が出力電源（不図示）を備えている場合には、電動ハンマー２のコンセント８をこの集塵機３の出力電源に電気的に接続してもよい。
【００１４】
図２、図３に示すように、防塵カバー１は、円筒状の防塵カバー本体９の先端に筒型で蛇腹状のフィッティング部１０が一体形成され、防塵カバー本体９の基端側に円筒状の吸引口１１が下方に向かって設けられたものである。
防塵カバー本体９は、基端側に設けられた金属部１２と先端側に設けられたビニール部１３とが一体形成されたものであって、電動ハンマー２の打撃方向に沿うように配置している。また、金属部１２の基端開口部１８には防塵カバー本体９周縁と電動ハンマー２との間を閉塞する蓋１７が設けられている。
尚、金属部１２には防錆効果の高いステンレス等やアルミニウム等を用いることが望ましい。また、ビニール部１３には内部を確認できる透過性の透明なビニール又は、樹脂等を用いることが望ましい。
【００１５】
防塵カバー本体９の先端に設けられたフィッティング部１０は、防塵カバー１をハツリ作業が行われる接地面１４に密着させるためのものである。フィッティング部１０は、軟質性の樹脂によって形成され、フィッティング部１０先端の周縁が接地面１４に密着するように伸縮自在な蛇腹状に形成されている。また、フィッティング部１０の外径は防塵カバー本体９の外径と比較して大きく設定されている。
【００１６】
防塵カバー本体９の基端側に設けられた吸引口１１は筒状の金属製で、その長さＬは、作業者が把持するのに十分な長さを有し、作業者の取手部１１ａとして構成されている。この吸引口１１（取手部１１ａ）の防塵カバー本体９との接続部分には開口部１５が形成されている。そして、吸引口１１にはホース５の一端がホースバンド等（不図示）を用いて接続されている一方、ホース５の他端には集塵機３が接続され（図１参照）ている。すなわち、集塵機３は、開口部１５から防塵カバー１の内部空間Ｋを吸引するようになっている。
尚、吸引口１１は、防錆効果の高いステンレス等やアルミニウム等を用いることが望ましい。
【００１７】
また、開口部１５にはクロス状のフィルター１６が設けられている（図２参照）。このフィルター１６は、電動ハンマー２によって粉砕された削岩が集塵機３へ吸引されてしまうことを防止するためのものである。尚、この第一実施形態においてはフィルター１６がクロス状である場合について説明したが、クロス状に限らず削岩の集塵機３への吸引を規制できる形状であればよい。具体的には、１〜３ｃｍ程度の削岩が吸引されてしまうことを防止できることが望ましい。
【００１８】
次に、防塵カバー１を取付けた電動ハンマー２を用いたハツリ作業の手順について図４に基づいて説明する。
まず、作業者Ｕは防塵カバー１の吸引口１１を把持しつつ、電動ハンマー２のハツリ部４先端を接地面１４に向かって突き当てる。すると、防塵カバー１のフィッティング部１０が伸縮自在な蛇腹状に形成されているため、接地面１４に対応するように変形し、フィッティング部１０の先端周縁が接地面１４に密着する。
【００１９】
次に、電動ハンマー２を駆動させると共に、集塵機３を駆動させる。このとき、フィッティング部１０と防塵カバー本体９、さらに、防塵カバー本体９の基端に設けられた蓋１７によって、電動ハンマー２のハツリ部４周辺がほぼ密閉されているため、粉塵や削岩が作業場周辺に飛散することなく、防塵カバー１の開口部１５から集塵機３へと吸引される。尚、開口部１５に設けられているフィルター１６によって、比較的大きな削岩は集塵機３へと吸引されないため、この削岩は、防塵カバー１の空間Ｋ内に溜まるようになっている。
【００２０】
したがって、上述の第一実施形態によれば、防塵カバー本体９とフィッティング部１０によって、ハツリ部４周囲を閉塞することができるため、電動ハンマー２による粉塵や削岩の飛散を防止することができる。
また、防塵カバー本体９に設けられた吸引口１１を集塵機３のホース５と接続することで、防塵カバー１と集塵機３を一体化することができるため、集塵機３によって容易に粉塵を吸引することができる。
【００２１】
さらに、電動ハンマー２に防塵カバー１を取付け、その防塵カバー１と集塵機３を接続するだけで容易に粉塵や削岩の飛散を防止することができる。このため、容易に携帯することが可能で、高所作業車等を用いて行うハツリ作業であっても、作業環境を向上させると共に、清掃作業を軽減することができる。具体的には、これまで防護メガネや防護マスク等を着けて行っていた作業を軽減することができると共に、トンネル特別検査時に持参していた機器類への粉塵による悪影響の虞が解消され、また、高所作業車の作業床の清掃業務も軽減することができる。さらに、さまざまな電動ハンマー機器に防塵カバー１を取付けることが可能であるため、汎用性が高い。
そして、フィッティング部１０によって、防塵カバー１と接地面１４との間の隙間を最小限にすることができるため、粉塵を確実に吸引することが可能になると共に、小型の集塵機を使用することが可能になる。
【００２２】
また、開口部１５にフィルター１６を設けることで、削岩の集塵機３への吸引を規制することができるため、吸引口１１及びホース５の目詰まりを防止することができると共に、集塵機３の故障を回避することが可能になる。よって、ハツリ作業の作業効率を向上させることができる。
さらに、吸引口１１を取手部１１ａとして構成するため、作業者Ｕへの負担を低減することが可能になる。また、取手部としての機能を別個に設ける必要がなく、部品点数を減少させることができるため、防塵カバー１の軽量化を図ることができる。
【００２３】
そして、防塵カバー本体９が金属部１２と透過性のビニール部１３とで構成されているため、ハツリ作業の際のハツリポイントの視認性が向上し、作業効率を向上させることができる。
また、フィッティング部１０の外径が防塵カバー本体９の外径と比較して大きく設定されているため、ハツリポイントの視認性をさらに向上させることができる。
【００２４】
次に、この発明の第二実施形態を図５に基づいて説明する。
この第二実施形態においては、上述の第一実施形態のフィッティング部１０が蛇腹状に形成されているのに対し、フィッティング部２０に複数の舌片１９が防塵カバー本体９の周方向に沿うように、且つ径方向外側に向かうように設けられている。
尚、その他の基本的構成は上述の第一実施形態と同様であるため、説明を省略する。
【００２５】
フィッティング部２０に設けられた複数の舌片１９間には各々隙間Ｓが形成されている。この隙間Ｓは、電動ハンマー２よって粉砕された削岩を防塵カバー１の外部に落下させるための落下部２１として機能するものである。つまり、ハツリ作業による粉塵は防塵カバー１の開口部１５から集塵機３に吸引させるが、削岩はフィッティング部２０の隙間Ｓ（落下部２１）から防塵カバー１の外部に落下させることで、削岩を防塵カバー１内部に溜まらないようになっている。
【００２６】
したがって、上述の第二実施形態によれば、第一実施形態の効果に加え、より効率的に粉塵のみを集塵機３に吸引させることができる。
また、削岩が多く発生する場合のハツリ作業にあっては、防塵カバー１外部に削岩を落下させることで、防塵カバー１内部に削岩が溜まることによってハツリ作業が中断されてしまうことを防止することができ、より作業効率を向上させることができる。
さらに、フィッティング部２０の複数の舌片１９が各々別個に接地面１４にフィットするため、接地面１４の凹凸形状にも柔軟に対応することができる。
【００２７】
尚、本発明は上述した実施形態に限られるものではなく、本発明の趣旨を逸脱しない範囲において、上述した実施形態に種々の変更を加えたものを含む。
また、上述の第一実施形態では、防塵カバー本体９の先端に蛇腹状のフィッティング部１０を設けた場合について説明したが、防塵カバー本体９自体を蛇腹状に形成してもよい。
【００２８】
さらに、上述の第二実施形態では、フィッティング部２０に隙間Ｓを形成し、その隙間Ｓを落下部２１として機能させる場合について説明したが、防塵カバー本体９の先端と吸引口１１との間に落下部２１としての孔を形成してもよい。
そして、上述の第二実施形態では、フィッティング部２０に複数の舌片１９が防塵カバー本体９の周方向に沿うように、且つ径方向外側に向かうように設けられている場合について説明したが、防塵カバー本体９の先端に切込みを入れることで複数の舌片１９を形成してもよい。
【００２９】
そして、上述の実施形態では、蛇腹状のフィッティング部１０及び舌片１９を複数設けたフィッティング部２０を設けた場合について説明したが、フィッティング部の形状はこれらに限らず、接地面１４に対応して変形し、防塵カバー本体９と接地面１４との間の隙間を最小限にすることができるものであればよい。
【図面の簡単な説明】
【００３０】
【図１】本発明の第一実施形態における防塵カバーを取付けた電動ハンマー及び集塵機を示す平面図である。
【図２】本発明の第一実施形態における防塵カバーの側面図である。
【図３】本発明の第一実施形態における防塵カバーの斜視図である。
【図４】本発明の第一実施形態における防塵カバーを用いたハツリ作業を示す説明図である。
【図５】本発明の第二実施形態における防塵カバーの側面図である。
【符号の説明】
【００３１】
１…防塵カバー、２…電動ハンマー（削岩機）、３…集塵機、４…ハツリ部（削岩部）、９…防塵カバー本体、１０…フィッティング部、１１…吸引口、１１ａ…取手部、１６…フィルター、２０…フィッティング部、２１…落下部
【図１】
2008012686.tif 000003
【図２】
2008012686.tif 000004
【図３】
2008012686.tif 000005
【図４】
2008012686.tif 000006
【図５】
2008012686.tif 000007